(57)【要約】【課題】ソフトウェアのバージョンアップを行うことができ、更に内部状況を外部から把握することのできる受信システムや受信方法、送信方法、及び受信プログラムを提供すること。【解決手段】受信機状況検出部２３は、統合ＲＦ２１からの受信信号Ｓ１〜Ｓ３に基づいて各受信アンテナ１１〜１３のアンテナレベルを検出する。アンテナレベルを示すデータＳ８はメモリ３３に出力される。アンテナレベルデータＳ８を含む状況データＳ１０は、通信部４０を介して、外部サーバ１００に送信される。外部サーバ１００はメモリ１０１に記憶されたＶｅｒＵＰデータから最適なデータを選択して送信する。統合受信システム１はダウンロードされたこのデータを用いてソフトウェアのバージョンアップを行う。【選択図】図１
2007286670.tif 000002
【特許請求の範囲】
【請求項１】
複数の受信アンテナにより受信した異なる種類の放送受信コンテンツの信号を多重化しシリアル信号として出力する統合チューナユニットと、
前記シリアル信号が入力され、復調指示に基づいて前記各放送受信コンテンツの信号を復調して出力する統合復調ユニットと、
外部サーバから送信されたバージョンアップデータをダウンロードする通信部とを備え、
前記統合チューナユニット又は前記統合復調ユニットは前記バージョンアップデータに基づいてソフトウェアのバージョンアップを行うことを特徴とする受信システム。
【請求項２】
複数の受信アンテナにより受信した異なる種類の放送受信コンテンツの信号を多重化しシリアル信号として出力する統合チューナユニットと、
前記シリアル信号が入力され、復調指示に基づいて前記各放送受信コンテンツの信号を復調して出力する統合復調ユニットとを備えた受信システムにおいて、
前記統合チューナユニット又は前記統合復調ユニットには前記受信システム内の状況を示す状況情報を検出する状況検出部を備え、
更に、前記状況検出部で検出された前記状況情報を外部サーバに送信する通信部を備えることを特徴とする受信システム。
【請求項３】
複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムにおける受信方法であって、
外部サーバから送信されたバージョンアップデータをダウンロードし、
ダウンロードされた前記バージョンアップデータに基づいて前記統合チューナユニット又は前記統合復調ユニットにおいてソフトウェアのバージョンアップを行うことを特徴とする受信方法。
【請求項４】
複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムにおける送信方法であって、
前記統合チューナユニット又は前記統合復調ユニットにおいて、前記受信システム内の状況を示す状況情報を検出し、
検出された前記状況情報を外部サーバに送信することを特徴とする送信方法。
【発明の詳細な説明】
【技術分野】
【０００１】
本発明は、ソフトウェアをバージョンアップすることができ、更に内部状況を外部から把握することのできる受信システム、受信方法、送信方法、及びプログラムに関する。
【背景技術】
【０００２】
従来から、複数の放送メディアを受信することのできる受信装置がある。
【０００３】
例えば、デジタル放送とＡＭ放送やＦＭ放送のアナログ放送とを受信することのできる放送受信機が開示されている（例えば、以下の特許文献１）。
【０００４】
また、単一のアナログ・デジタル変換器を使用して複数局同時受信を可能にした受信器（例えば、以下の特許文献２）や、同様に単一のアナログ・デジタル変換器により異なる周波数帯域の複製を可能にした受信機システム（例えば、以下の特許文献３）なども開示されている。
【特許文献１】特開２０００−３２４００３号公報
【特許文献２】特開平５−１８３４５９号公報
【特許文献３】特開２００２−２６７５８号公報
【発明の開示】
【発明が解決しようとする課題】
【０００５】
このような受信装置では、バージョンアップされたソフトウェアを外部よりダウンロードすることができれば大変便利である。
【０００６】
また、受信装置の故障等、内部状況を示す情報を外部から把握することができれば故障等に対してすぐに対応することも可能である。
【０００７】
そこで、本発明は上記問題点に鑑みてなされたものでその目的は、ソフトウェアのバージョンアップを行うことができ、更に内部状況を外部から把握することのできる受信システムや受信方法、送信方法、及びプログラムを提供することにある。
【課題を解決するための手段】
【０００８】
上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットと、外部サーバから送信されたバージョンアップデータをダウンロードする通信部とを備え、前記統合チューナユニット又は前記統合復調ユニットは前記バージョンアップデータに基づいてソフトウェアのバージョンアップを行う受信システムであることを特徴とする。
【０００９】
また、本発明は前記受信システムにおいて、前記統合チューナユニット又は統合復調ユニットには前記受信システムの状況を示す状況情報を検出する状況検出部を更に備え、前記通信部は前記状況検出部からの前記状況情報を前記外部サーバに送信することで前記外部サーバから前記バージョンアップデータをダウンロードすることを特徴とする。
【００１０】
更に、本発明は前記受信システムにおいて、前記状況情報は前記受信アンテナのアンテナレベルを含むことを特徴とする。
【００１１】
更に、本発明は前記受信システムにおいて、前記状況情報は、前記受信システムの識別番号と、前記統合チューナモジュール又は前記統合復調ユニットのソフトウェアのバージョン番号と、前記受信システムの位置情報とを含むことを特徴とする。
【００１２】
また、上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムにおいて、前記統合チューナユニット又は前記統合復調ユニットには前記受信システム内の状況を示す状況情報を検出する状況検出部を備え、更に前記状況検出部で検出された前記状況情報を外部サーバに送信する通信部を備える受信システムであることを特徴とする。
【００１３】
また、本発明は前記受信システムにおいて、前記状況検出部は前記受信アンテナの故障を検出し、前記通信部は前記受信アンテナの故障を示すエラー情報を前記状況情報として送信することを特徴とする。
【００１４】
更に、本発明は前記受信システムにおいて、前記通信部は前記状況情報とともに前記受信システムの識別番号を外部サーバに送信することを特徴とする。
【００１５】
更に、本発明は前記受信システムにおいて、前記通信部は前記状況情報を送信することで前記外部サーバからメッセージを受信し、前記メッセージを表示する表示部を更に備えることを特徴とする。
【００１６】
更に、本発明は前記受信システムにおいて、前記メッセージには前記受信システムが車両に搭載された場合に当該車両のディーラーに関する情報が含まれることを特徴とする。
【００１７】
更に、上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムにおける受信方法であって、外部サーバから送信されたバージョンアップデータをダウンロードし、ダウンロードされた前記バージョンアップデータに基づいて前記統合チューナユニット又は前記統合復調ユニットにおいてソフトウェアのバージョンアップを行うことを特徴とする。
【００１８】
更に、上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムにおける送信方法であって、前記統合チューナユニット又は前記統合復調ユニットにおいて、前記受信システム内の状況を示す状況情報を検出し、検出された前記状況情報を外部サーバに送信することを特徴とする。
【００１９】
更に、上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムから送信された前記受信システムの状況を示す状況情報を受信する処理と、前記状況情報に基づいてメモリに記憶された最適なバージョンアップ用ソフトウェアを選択する処理と、選択された前記バージョンアップ用ソフトウェアを前記受信システムに送信する処理とをコンピュータに実行させるプログラムであることを特徴とする。
【００２０】
更に、上記目的を達成するために本発明は、複数の受信アンテナにより受信した異なる種類の放送受信コンテンツの信号を多重化しシリアル信号として出力する統合チューナユニットと、前記シリアル信号が入力され、復調指示に基づいて前記各放送受信コンテンツの信号を復調して出力する統合復調ユニットとを備えた受信システムから送信された前記受信アンテナの故障を示すエラー情報と前記受信システムの識別番号を示す情報とを受信する処理と、前記エラー情報と前記識別番号とに基づいて前記受信システムの搭載された車両のディーラーをメモリから検索してメッセージを生成する処理と、生成した前記メッセージを前記受信システムに送信する処理とをコンピュータに実行させるプログラムであることを特徴とする。
【発明の効果】
【００２１】
本発明によれば、ソフトウェアのバージョンアップを行うことができ、更に内部状況を外部から把握することのできる受信システムや受信方法、送信方法、及びプログラムを提供することができる。
【発明を実施するための最良の形態】
【００２２】
本発明を実施するための最良の形態について、以下図面を参照しながら説明する。図１は、本発明が適用される統合受信システム１の一構成例である。
【００２３】
統合受信システム１は、全体として各受信アンテナ１１〜１３と、統合チューナモジュール（統合チューナユニット）２０と、統合復調モジュール（統合復調ユニット）３０、及び通信部４０から構成される。更に、本統合受信システム１は外部サーバ１００と接続される。
【００２４】
受信アンテナ１１〜１３は、デジタルテレビ（ＤＴＶ）放送を受信するためのＤＴＶ用受信アンテナ１１と、ＡＭ放送を受信するためのＡＭ用受信アンテナ１２と、ＦＭ放送を受信するためのＦＭ用受信アンテナ１３とから構成される。ＤＴＶ、ＡＭ、ＦＭ等、異なる種類の放送受信コンテンツを夫々異なる受信アンテナ１１〜１３で受信する。
【００２５】
統合チューナモジュール２０は各受信アンテナ１１〜１３と接続される。統合チューナモジュール２０は、統合ＲＦ２１と、送信側統合伝送部２２、及び受信機状況検出部２３を備える。
【００２６】
統合ＲＦ２１は、各受信アンテナ１１〜１３から受信信号Ｓ１〜Ｓ３（アナログのＤＴＶ用ＲＦ信号や、アナログのＡＭ、ＦＭ放送用のＲＦ信号など）が入力され、中間周波数（Intermediate Frequency）信号Ｓ４に変換して出力する。
【００２７】
送信側統合伝送部２２は、統合ＲＦ２１と接続され、各中間周波数信号Ｓ４をデジタル信号に変換後多重化し、多重化されたパラレル信号をシリアル信号Ｓ５に変換して出力する。
【００２８】
受信機状況検出部２３は、統合ＲＦ２１と接続され、統合ＲＦ２１からの受信信号Ｓ１〜Ｓ３に基づいて各受信アンテナ１１〜１３のアンテナレベル（受信信号のレベル）を検出し、アンテナレベルデータＳ８を出力する。
【００２９】
統合復調モジュール３０は、受信側統合伝送部３１と、統合復調部３２と、復調側メモリ３３、及び復調側制御部３４から構成される。
【００３０】
受信側統合伝送部３１は、統合チューナモジュール２０からのシリアル信号Ｓ５に対してパラレル信号Ｓ６に変換して出力する。
【００３１】
統合復調部３２は、受信側統合伝送部３１と接続され、受信側統合伝送部３１からのパラレル信号Ｓ６に対して各放送受信コンテンツに対応する信号に分離し復調指示された放送受信コンテンツの信号を復調して出力する。これにより、受信アンテナ１１〜１３で受信した各種放送受信コンテンツを統合受信システム１で視聴することができる。
【００３２】
尚、この復調指示はリモートコントローラや各種ボタン等をユーザが操作することにより行われる。
【００３３】
復調側メモリ３３は、統合チューナモジュール２０や統合復調モジュール３０の各部２１等と接続される。復調側メモリ３３は、外部サーバ１００からダウンロードされたバージョンアップデータ（ＶｅｒＵＰデータ）Ｓ１０や、受信機状況検出部２３からのアンテナレベルデータＳ８を含む状況情報に関するデータ（状況データ）Ｓ９を記憶する。
【００３４】
復調側制御部３４は、復調側メモリ３３と接続され、メモリ３３に対する各データＳ８〜Ｓ１０の読み出しや書き込みの制御を行う。
【００３５】
通信部４０は、統合復調モジュール３０と接続されるとともに外部サーバ１００と接続される。通信部４０は、統合受信システム１と外部サーバ１００との間で各データＳ９、Ｓ１０の通信を行うためのものである。
【００３６】
一方、外部サーバ１００は、サーバ側メモリ１０１と、サーバ側制御部１０２から構成される。
【００３７】
サーバ側メモリ１０１は、統合受信システム１の各部２１等の各機能を実現するためのソフトウェアが記憶される。記憶されるソフトウェアは各機能をバージョンアップさせるバージョンアップ用ソフトウェア（バージョンアップデータ）である。サーバ側メモリ１０１は、例えば、ＲＡＭやハードディスクなどである。
【００３８】
サーバ側制御部１０２は、サーバ側メモリ１０１とともに、統合受信システム１の通信部４０に接続される。サーバ側制御部１０２はサーバ側メモリ１０１からのバージョンアップデータの読み出しの制御等を行ったり、通信部４０との間で通信の制御を行う。
【００３９】
このように構成された統合受信システム１と外部サーバ１００とで、外部サーバ１００からバージョンアップデータをダウンロードして統合受信システム１の各部２１等をバージョンアップさせる動作について以下説明する。
【００４０】
図２は、かかる動作のフローチャートの例を示す図である。
【００４１】
まず、本処理が開始されると（Ｔ１０）、受信機状況検出部２３は各受信アンテナ１１〜１３のアンテナレベルを検出する（Ｔ１１）。
【００４２】
アンテナレベルデータＳ８は、復調側制御部３４により、統合復調モジュール３０の復調側メモリ３３に記憶される（Ｔ１２）。復調側メモリ３３には、統合受信システム１の識別番号、各機能のバージョン情報、車両の位置情報が記憶される。復調側制御部３４はこれらの情報とアンテナレベルデータＳ８とを復調側メモリ３３から読み出して受信機の状況データＳ９として通信部４０に出力する。尚、車両の位置情報は統合受信システム１内の位置検出部により検出されて復調側メモリ３３に記憶されているものとする。
【００４３】
通信部４０は、外部サーバ１００へ状況データＳ９を送信する（Ｔ１３）。
【００４４】
外部サーバ１００の制御部１０２はこの状況データＳ９を受信し（Ｔ１４）、サーバ側メモリ１０１に記憶されたＶｅｒＵｐデータの中から最適なデータを選択する。
【００４５】
例えば、車両に本統合受信システム１が搭載され、状況データＳ９のアンテナレベルデータＳ８から、車両がＤＴＶ放送の電界レベルが高くＦＭ放送の電界レベルが低い地域を走行していると判断されたとき、ＦＭ放送の電界レベルが低い地域でも良好にＦＭ放送を受信できるようソフトウェアをバージョンアップさせる必要がある。
【００４６】
そのため、サーバ側制御部１０２はＦＭの性能を上げるようなＶｅｒＵＰデータを選択する。この場合、例えば、予め統合受信システム１内のソフト容量を一定にするため、サーバ側制御部１０２はＤＴＶの性能を下げてＦＭの性能を上げ全体としてソフト容量一定のＶｅｒＵＰデータを選択する。
【００４７】
或いは、サーバ側制御部１０２はＤＴＶのアンテナ信号線数を下げてＦＭの信号線数を増加させるようなＶｅｒＵＰデータを選択するようにしてもよい。
【００４８】
サーバ側制御部１０２は、最適なＶｅｒＵＰデータをサーバ側メモリ１０１から読み出して、識別番号に基づいて当該統合受信システム１にＶｅｒＵＰデータＳ１０を送信する（Ｔ１５）。
【００４９】
通信部４０は、送信されたＶｅｒＵＰデータＳ１０を受信して統合復調モジュール３０に出力する。復調側制御部３４は、通信部４０からのＶｅｒＵＰデータＳ１０を一旦復調側メモリ３３に記憶し、該当する構成部分にＶｅｒＵＰデータＳ１０を出力する。ＶｅｒＵＰデータを受けた各構成部分はこのデータに基づいてバージョンアップを行う（Ｔ１６）。或いは、制御部３４がバージョンアップを行う。
【００５０】
そして、一連の処理が終了する（Ｔ１７）。
【００５１】
以上説明したように、本統合受信システム１では外部サーバ１００からバージョンアップ用のソフトウェアをダウンロードすることができるため、ダウンロードされたソフトウェアによりバージョンアップを行うことができる。また、外部サーバ１００では状況データＳ９から最適なバージョンアップソフトを選択しているため、統合受信システム１では最適なソフトウェアでバージョンアップすることができる。更に、統合受信システム１ではアンテナレベルＳ８や機能のバージョン情報等、状況データＳ９を外部サーバ１００に出力しているため、統合受信システム１に関する内部状況を外部サーバ１００で把握することもできる。
【００５２】
前述の例では、受信機状況検出部２３により受信アンテナ１１〜１３のアンテナレベルを検出するようにしたが、受信機状況検出部２３で状況データＳ９を検出するようにしてもよい。その場合、受信機状況検出部２３でアンテナレベルを検出するとともに、位置情報も検出し、更に内部のメモリにソフトウェアのバージョン情報や統合受信システム１の識別番号を記憶させ、これらの情報を状況データＳ９として出力する。この場合でも、前述の例と同様の作用効果を奏する。
【００５３】
また、前述の例では、受信機状況検出部２３は統合ＲＦ２１と接続されているが、例えば、送信側統合伝送部２２と接続されて各受信アンテナ１１〜１３のアンテナレベルを検出するようにしてもよい。また、統合ＲＦ２１と送信側統合伝送部２２の双方に接続され、双方からアンテナレベルを検出してもよい。更に、受信機状況検出部２３が統合ＲＦ２１や送信側統合伝送部２２の内部にあってもよいし、統合復調モジュール３０にあってもよい。いずれの場合も、前述の例と同様の作用効果を奏する。
【００５４】
次に、本統合受信システム１の他の構成例について説明する。図３はその例を示し、図１と同一の構成には同一の番号を付す。
【００５５】
本例は、外部サーバ１００が統合受信システム１の内部状況を把握し、メッセージを統合受信システム１に表示させる例である。図１の例と異なるのは、統合チューナモジュール２０に故障検出部２４を有し、統合受信システム１内に表示部５０を有している点である。更に、外部サーバ１００のサーバ側メモリ１０１にはメッセージデータやデータベースが記憶される点が異なる。
【００５６】
故障検出部２４は、統合ＲＦ２１に接続され、各受信信号Ｓ１〜Ｓ３に基づいて各受信アンテナ１１〜１３の故障を検出する。検出した情報は、エラー情報Ｓ１１として出力される。尚、故障の検出は、例えば受信信号Ｓ１〜Ｓ３のレベルからその値が閾値よりも低いときに故障と判断するようにする。
【００５７】
表示部５０は、統合復調部３２に接続されるとともに復調側制御部３４と接続され、復調された放送受信コンテンツを表示するとともに、外部サーバ１００からのメッセージを表示する。尚、表示部５０は放送受信コンテンツを表示せずにメッセージのみ表示するものであってもよい。
【００５８】
サーバ側メモリ１０１には、統合受信システム１に送信すべきメッセージ情報が記憶されるとともに、登録されたディーラーの情報に関するデータベースも記憶される。これらの情報はサーバ側制御部１０２の制御により読み出される。
【００５９】
このように構成された統合受信システム１における動作について説明する。図４はその動作を示すフローチャートの一例である。
【００６０】
まず、処理が開始されると（Ｔ２０）、故障検出部２４は受信アンテナ１１〜１３の故障を検出する（Ｔ２１）。故障検出部２４は故障を検出したとき、その旨を示すエラーデータＳ１１を出力する。例えば、ＤＴＶ用受信アンテナ１１が故障したとき、ＤＴＶ用受信アンテナ１１が故障したことを示すデータＳ１１を出力する。
【００６１】
復調側制御部３４は、エラーデータＳ１１を復調側メモリ３３に記憶する（Ｔ２２）。そして、復調側制御部３４は、記憶したエラーデータＳ１１と予めメモリ３３に記憶された統合受信システム１の識別番号とを読み出して通信部４０に出力する。通信部４０はエラーデータＳ１１等を外部サーバ１００に送信する（Ｔ２３）。
【００６２】
サーバ側制御部１０２は、送信されたこれらのデータを受信する（Ｔ２４）。このとき、サーバ側制御部１０２は、サーバ側メモリ１０１のデータベースにアクセスし、統合受信システム１の識別番号から登録されたディーラーを検索する。本統合受信システム１が車両に搭載され、その車両のディーラーは予めサーバ側メモリ１０１に登録されているものとする。例えば、車両が「Ａディーラー」により販売されたとき、かかる情報が読み出される。
【００６３】
また、サーバ側制御部１０２は、サーバ側メモリ１０１にアクセスし、送信されたデータのうちエラーデータＳ１１に基づいて対応するエラーメッセージを読み出す。エラーデータＳ１１にＤＴＶ用受信アンテナ１１が故障したことを示す情報が含まれているときは、例えば「ＤＴＶアンテナ故障です」というメッセージを読み出すことになる。
【００６４】
そして、サーバ側制御部１０２は２つの情報から「ＤＴＶアンテナ故障です。Ａディーラーにお越しください」というメッセージを生成して、メッセージデータＳ１２として出力する。メッセージＳ１２はサーバ側制御部１０２から統合受信システム１に送信される（Ｔ２５）。
【００６５】
通信部４０はこのメッセージデータＳ１２を受信し、統合復調モジュール３０に出力する。復調側制御部３４はメッセージデータＳ１２に含まれる情報を表示するよう表示部５０を制御する。そして、表示部５０はメッセージを表示する（Ｔ２６）。例えば、「ＤＴＶアンテナ故障です。Ａディーラーにお越しください」というメッセージが表示される。
【００６６】
そして、一連の処理が終了する（Ｔ２７）。
【００６７】
このように、本統合受信システム１では内部状況として故障に関するエラー情報を外部サーバ１００に出力することができるため、外部サーバ１００では統合受信システム１の内部状況を把握することができる。また、統合受信システム１ではメッセージが表示されるため、ユーザは現在の状況を把握できるとともに、メッセージに基づいてすぐに修理することが可能となる。外部サーバ１００で把握した内部状況をディーラーに送信できればディーラー側もすぐに対応することができる。
【００６８】
本例では、内部状況としてエラー情報を例にして説明したが、上述したアンテナレベルやソフトウェアのバージョン情報等でもよい。これらの情報に基づいて現在の統合受信システム１の状況を外部サーバ１００が把握することができるからである。更にかかる情報をメッセージとして表示するようにしてもよい。統合受信システム１を使用するユーザが現在の状況を把握することができるからである。尚、これらの内部状況を検出するための検出部を統合受信システム１内に設けるようにしてもよい。いずれの場合も上述の例と同様の作用効果を奏する。
【００６９】
また、本例においても、故障検出部２４は送信側統合伝送部２２に接続されて、受信アンテナ１１〜１３の故障を検出するようにしてもよいし、統合ＲＦ２１と送信側統合伝送部２２の双方に接続されてもよい。更に、統合ＲＦ２１や送信側統合伝送部２２の内部に設けられてもよい。更に、故障検出部２４が統合復調モジュール３０に設けられ統合復調モジュール３０の各部の故障を検出するようにしてもよい。いずれの場合も上述の例と同様の作用効果を奏する。
【００７０】
図１〜図４に示した例では、いずれも受信アンテナ１１〜１３を、ＤＴＶ放送やＡＭ放送、ＦＭ放送を受信する受信アンテナ１１〜１３として説明した。勿論、これら以外にも、デジタルラジオや他のデジタル音声を受信するための受信アンテナを別途設けて他の放送受信コンテンツを視聴することもできる。上述の例と同様にこれらのアンテナに対してアンテナレベルを検出したり故障を検出したりすることで、全く同様の作用効果を奏する。
【００７１】
尚、図１や図３に示す統合受信システム１は、以下に示す他の作用効果を奏する。即ち、統合チューナモジュール２０はアンテナ１１〜１３の近傍に位置している。従って、アンテナ１１〜１３からの信号線を短くすることができ、信号線に発生するパルス雑音や高周波雑音の影響を小さくすることができる。また、信号線が短いため、信号線の損失減少による受信感度の向上を図ることもできる。更に、かかる信号線の配線スペースを小さくすることも可能である。
【００７２】
また、本統合受信システム１において、統合チューナモジュール２０と統合復調モジュール３０との間をケーブル一本でシリアル信号Ｓ５により伝送しているため、各受信信号をパラレル信号として夫々ケーブル配線して伝送する場合と比較して、配線数を少なくすることができ、例えば車内の配線スペースを減らすことができる。
【００７３】
更に、本統合受信システム１において、統合復調モジュール３０を、例えば車内の任意のスペースに配置することで統合受信システム１の実装の自由度を上げることもできる。
【図面の簡単な説明】
【００７４】
【図１】統合受信システムの構成例を示す図である。
【図２】統合受信システムをバージョンアップさせるときのフローチャートの例である。
【図３】統合受信システムの他の構成例を示す図である。
【図４】エラー情報を外部に送信するときのフローチャートの例である。
【符号の説明】
【００７５】
１：統合受信システム、１１：ＤＴＶ用受信アンテナ、１２：ＡＭ用受信アンテナ、１３：ＦＭ用受信アンテナ、２０：統合チューナモジュール、２１：統合ＲＦ、２２：送信側統合伝送部、２３：受信機状況検出部、２４：故障検出部、３０：統合復調モジュール、３１：受信側統合伝送部、３２：統合復調部、３３：復調側メモリ、３４：復調側制御部、４０：通信部、５０：表示部、１００：外部サーバ、１０１：サーバ側メモリ、１０２：サーバ側制御部、Ｓ５：シリアル信号、Ｓ８：アンテナレベルデータ、Ｓ９：状況データ、Ｓ１０：バージョンアップデータ（ＶｅｒＵＰデータ）、Ｓ１１：エラーデータ、Ｓ１２：メッセージデータ
【図１】
2007286670.tif 000003
【図２】
2007286670.tif 000004
【図３】
2007286670.tif 000005
【図４】
2007286670.tif 000006